(57)【特許請求の範囲】
【請求項１】
駆動源である電動モータ、該電動モータの回転動力を減速する減速部、および、該減速部の回転動力をその先端側に取り付けた工具に伝達する駆動部が内包される胴体部外郭と、当該胴体部外郭からその交叉方向に突出するグリップ部外郭と、を有するハウジングを備え、前記グリップ部外郭が断面略アーチ状となる二つの分割体の周方向端縁同士を突き合わせて筒状に形成されるとともに、前記グリップ部外郭の長手方向先端部に該グリップ部外郭の一般部分よりも拡大された電池パック取付部が形成された可搬式電動工具において、
前記グリップ部外郭が前記胴体部外郭に拡大して至る基端側の付け根部、および、前記グリップ部外郭が前記電池パック取付部に拡大して至る先端側の付け根部のうち少なくとも一方の内部に、グリップ部外郭の内側から突設したリブと当該グリップ部外郭とで囲われた区画領域を形成し、
前記区画領域を形成した前記付け根部のグリップ部外郭に薄肉部を形成するとともに、前記区画領域の周辺部のグリップ部外郭に上記薄肉部よりも肉厚の厚肉部を形成したことを特徴とする可搬式電動工具。
【請求項２】
前記薄肉部が前記分割体の周方向中間部に設けられ、該薄肉部の肉厚が前記分割体の周方向端縁の肉厚よりも薄いことを特徴とする請求項１に記載の可搬式電動工具。
【請求項３】
前記二つの分割体のうち一方の周方向端縁の肉厚方向中央部には、前記グリップ部外郭の長手方向に沿って延びる凸部が形成されるとともに、他方の周方向端縁の肉厚方向中央部には前記グリップ部外郭の長手方向に沿って延びる凹部が形成され、それら凸部と凹部とが嵌合され、
前記薄肉部の肉厚が前記凸部の外側面とグリップ部外郭の内側面との間の肉厚よりも薄いことを特徴とする請求項１または２に記載の可搬式電動工具。
【請求項４】
前記厚肉部は、前記グリップ部外郭の前記区画領域を形成した付け根部の内側をグリップ部外郭の内方に膨出して形成されることを特徴とする請求項１〜３のうちいずれか一つに記載の可搬式電動工具。
【請求項５】
前記厚肉部は、前記グリップ部外郭の前記区画領域を形成した付け根部の外側をグリップ部外郭の外方に膨出して形成されることを特徴とする請求項１〜３のうちいずれか一つに記載の可搬式電動工具。
【請求項６】
前記薄肉部の周縁部および前記厚肉部の周縁部で肉厚を滑らかに変化させたことを特徴とする請求項１〜５のうちいずれか一つに記載の可搬式電動工具。
【請求項７】
前記グリップ部外郭の少なくとも前記厚肉部を形成した部分の外側が弾性体で被覆されることを特徴とする請求項１〜６のうちいずれか一つに記載の可搬式電動工具。
【請求項８】
前記二つの分割体の相互に突き合う端縁に、グリップ部外郭の長手方向に互い違いとなる矩形状の凹凸が設けられることを特徴とする請求項１〜７のうちいずれか一つに記載の可搬式電動工具。
【請求項９】
前記矩形状の凹凸の他方の凹凸との当接面に弾性体が設けられることを特徴とする請求項８に記載の可搬式電動工具。
【請求項１０】
前記区画領域を形成するリブに、該区画領域の内外を連通させるスリットを形成し、該スリットはグリップ部外郭の内側面から所定距離を隔てた内側面近傍を終端としたことを特徴とする請求項１〜９のうちいずれか一つに記載の可搬式電動工具。
【発明の詳細な説明】
【技術分野】
【０００１】
本発明は、電動ドライバ等の可搬式電動工具に関する。
【背景技術】
【０００２】
従来の電動工具としては、ドリルドライバや、インパクトドライバ、オイルパルスドライバ等、その用途に応じた各種電動ドライバがあり、その中には、バッテリ駆動される可搬式のものも含まれている。
【０００３】
可搬式電動工具としては、電動モータを含めた駆動機構部を内包する胴体部と、当該胴体部の長手方向中間部または端部からその交叉方向に突出するグリップ部とを備えて全体的に略Ｔ字状あるいは略Ｌ字状に構成され、当該グリップ部を握持して操作するように構成されたものがある。かかる構成では、グリップ部の突出側先端部に、電動モータを駆動するための電池パックが着脱自在に装着される。
【０００４】
また、グリップ部は、作業者が握持し易くするため、胴体部側の基端部（基端側の付け根部）が該胴体部から絞られるとともに、電池パック取付部側の先端部（先端側の付け根部）が該電池パック取付部に向かって拡大された形状となっている（例えば、特許文献１参照）。
【０００５】
そして、この種の可搬式電動工具では、胴体部およびグリップ部からなるハウジングは、一般に、断面略アーチ状の勝手違いの二つの分割体の対応する端縁同士を突き合わせて楕円状あるいは長円状の断面形状となる筒体として形成されており、その筒体状のハウジング内に駆動機構部やスイッチ類等が装備されている。
【特許文献１】特開２００５−１４４５６４号公報
【発明の開示】
【発明が解決しようとする課題】
【０００６】
ところで、この種の可搬式電動工具では、作業者の疲労軽減のためには軽量化するのが好ましい。
【０００７】
可搬式電動工具を成す部品のうち、ハウジングの占める重量比率は比較的大きいため、ハウジングを軽量化することの効果は高いが、一方でハウジングに求められる品質的な要求も高くなっている。例えば、可搬式電動工具を誤って落下させた場合等の耐落下強度もその一つである。
【０００８】
可搬式電動工具を落下させて地面等から衝撃力が入力されると、グリップ部の基端側の付け根部や先端側の付け根部の絞り部や拡大部に大きな応力集中が生じて破損してしまう虞がある。しかし、その対策として基端側や先端側の付け根部を単に厚肉化した場合には、重量が増大してしまう。
【０００９】
そこで、本発明は、軽量でありかつ耐落下強度に優れたハウジングを備えた可搬式電動工具を得ることを目的とする。
【課題を解決するための手段】
【００１０】
請求項１の発明にあっては、駆動源である電動モータ、該電動モータの回転動力を減速する減速部、および、該減速部の回転動力をその先端側に取り付けた工具に伝達する駆動部が内包される胴体部外郭と、当該胴体部外郭からその交叉方向に突出するグリップ部外郭と、を有するハウジングを備え、上記グリップ部外郭が断面略アーチ状となる二つの分割体の周方向端縁同士を突き合わせて筒状に形成されるとともに、上記グリップ部外郭の長手方向先端部に該グリップ部外郭の一般部分よりも拡大された電池パック取付部が形成された可搬式電動工具において、上記グリップ部外郭が上記胴体部外郭に拡大して至る基端側の付け根部、および、上記グリップ部外郭が上記電池パック取付部に拡大して至る先端側の付け根部のうち少なくとも一方の内部に、グリップ部外郭の内側から突設したリブと当該グリップ部外郭とで囲われた区画領域を形成し、上記区画領域を形成した上記付け根部のグリップ部外郭に薄肉部を形成するとともに、上記区画領域の周辺部のグリップ部外郭に上記薄肉部よりも肉厚の厚肉部を形成したことを特徴とする。
【００１１】
請求項２の発明にあっては、上記薄肉部が上記分割体の周方向中間部に設けられ、該薄肉部の肉厚が上記分割体の周方向端縁の肉厚よりも薄いことを特徴とする。
【００１２】
請求項３の発明にあっては、上記二つの分割体のうち一方の周方向端縁の肉厚方向中央部には、上記グリップ部外郭の長手方向に沿って延びる凸部が形成されるとともに、他方の周方向端縁の肉厚方向中央部には上記グリップ部外郭の長手方向に沿って延びる凹部が形成され、それら凸部と凹部とが嵌合され、上記薄肉部の肉厚が上記凸部の外側面とグリップ部外郭の内側面との間の肉厚よりも薄いことを特徴とする。
【００１３】
請求項４の発明にあっては、上記厚肉部は、上記グリップ部外郭の上記区画領域を形成した付け根部の内側をグリップ部外郭の内方に膨出して形成されることを特徴とする。
【００１４】
請求項５の発明にあっては、上記厚肉部は、上記グリップ部外郭の上記区画領域を形成した付け根部の外側をグリップ部外郭の外方に膨出して形成されることを特徴とする。
【００１５】
請求項６の発明にあっては、上記薄肉部の周縁部および上記厚肉部の周縁部で肉厚を滑らかに変化させたことを特徴とする。
【００１６】
請求項７の発明にあっては、上記グリップ部外郭の少なくとも上記厚肉部を形成した部分の外側が弾性体で被覆されることを特徴とする。
【００１７】
請求項８の発明にあっては、上記二つの分割体の相互に突き合う端縁に、グリップ部外郭の長手方向に互い違いとなる矩形状の凹凸が設けられることを特徴とする。
【００１８】
請求項９の発明にあっては、上記矩形状の凹凸の他方の凹凸との当接面に弾性体が設けられることを特徴とする。
【００１９】
請求項１０の発明にあっては、上記区画領域を形成するリブに、該区画領域の内外を連通させるスリットを形成し、該スリットはグリップ部外郭の内側面から所定距離を隔てた内側面近傍を終端としたことを特徴とする。
【発明の効果】
【００２０】
請求項１の発明によれば、グリップ部外郭の基端側または先端側の付け根部の内部に、グリップ部外郭の内側から突設したリブと当該グリップ部外郭とで囲われた区画領域を形成したので、当該付け根部の剛性を高めることができる。
【００２１】
このとき、区画領域を形成した付け根部のグリップ部外郭に薄肉部を形成したので、その薄肉部で落下時の衝撃を効率良く吸収できる。また、区画領域の周辺部のグリップ部外郭に上記薄肉部よりも肉厚の厚肉部を形成したので、区画領域とその区画領域外の剛性の変化を緩やかに設定することができる。
【００２２】
したがって、外部から衝撃エネルギーが印加された場合でも区画領域を形成した付け根部での応力集中を抑えることができ、耐落下強度に優れたハウジングを得ることができる。また、薄肉部を形成した分、ハウジングを軽量化できるとともに、材料費を節約できるようになる。
【００２３】
請求項２の発明によれば、薄肉部をグリップ部外郭の分割体の周方向中間部に設けたことにより、二つの分割体の結合部分となる周方向端縁で所定の肉厚を確保できる。このため、分割体同士の結合強度を損なうことなく薄肉部を形成することができる。
【００２４】
請求項３の発明によれば、二つの分割体の周方向端縁は、凸部と凹部の嵌合によりずれを抑制しつつ結合できるようになる。このとき、薄肉部の肉厚を、凸部の外側面とグリップ部外郭の内側面との間の肉厚よりも薄くしたので、凸部と凹部の嵌合部で所要の肉厚を確保して分割体同士の結合強度を損なうことなく薄肉部を形成することができる。
【００２５】
請求項４の発明によれば、厚肉部は、グリップ部外郭の区画領域を形成した付け根部の内側に形成されたことにより、区画領域を形成するリブの剛性を確保できる。また、厚肉部がグリップ部外郭の内方に膨出して形成されたことにより、グリップ部外郭表面のデザインの自由度を向上することができる。
【００２６】
請求項５の発明によれば、厚肉部を、グリップ部外郭の区画領域を形成した付け根部の外側に形成したことで、区画領域を形成するリブの剛性を確保できる。また、厚肉部をグリップ部外郭の外方に膨出して形成したことで、グリップ部外郭の表面を弾性体で被覆する場合に、厚肉部が突出する周縁部でグリップ部外郭と弾性体との接触面積を増大することができる。このため、グリップ部外郭に対して弾性体がずれたり剥離したりするのを抑制することができる。さらに、厚肉部がグリップ部外郭の外側に形成されたことにより区画領域を拡充できるため、収納部品の収容スペースをより大きくすることができる。
【００２７】
請求項６の発明によれば、薄肉部の周縁部および厚肉部の周縁部を滑らかに肉厚変化させたので、それぞれの周縁部に生ずる応力集中を緩和して、耐落下強度に優れたハウジングを得ることができる。
【００２８】
請求項７の発明によれば、グリップ部外郭の少なくとも厚肉部を形成した部分の外側を弾性体で被覆したので、グリップ部外郭を型成形した際に厚肉部に生ずるヒケ等の成形不良部分を弾性体で覆い隠すことができるため、グリップ部の外観性が損なわれるのを抑制できる。
【００２９】
請求項８の発明によれば、二つの分割体の相互に突き合う端縁は、グリップ部外郭の長手方向に互い違いとなる矩形状の凹凸によって、二つの分割体がグリップ部外郭の長手方向にずれるのを抑制できる。このため、落下等によって二つの分割体がずれてグリップ部外郭が破損するのを抑制できる。
【００３０】
請求項９の発明によれば、矩形状の凹凸の他方の凹凸との当接面に弾性体を設けたので、二つの分割体の周方向端縁同士が離間するのを抑えることができる。また、一方の凹凸と他方の凹凸との合わせ面からグリップ部外郭の内部に水や粉塵等の異物が侵入するのを抑制できる。
【００３１】
請求項１０の発明によれば、区画領域を形成するリブに、該区画領域の内外を連通させるスリットを形成したので、リブに入力される衝撃力をスリットで分離した対向部分が相対変位することにより効率良く吸収できる。このとき、スリットはグリップ部外郭の内側面から所定距離を隔てた内側面近傍を終端としたので、その終端部分に発生する応力を周囲に分散できるため、耐落下強度に優れたハウジングを得ることができる。
【発明を実施するための最良の形態】
【００３２】
以下、本発明の好適な実施形態について図面を参照しながら詳細に説明する。以下の実施形態は、いずれも、本発明にかかる可搬式電動工具をインパクトドライバとして実施した場合について例示するものである。また、以下の実施形態は、同様の構成要素を備えている。よって、それら同様の構成要素については共通の符号を付与するとともに、重複する説明を省略する。
【００３３】
（第１実施形態）図１〜図４は、本発明の第１実施形態を示している。このうち、図１は、可搬式電動工具の側面図、図２は、ハウジングの内部を示す可搬式電動工具の要部側断面図、図３は、グリップ部外郭の先端側の付け根部の内部を示す拡大斜視図、図４は、図１のＡ−Ａ断面図である。
【００３４】
本実施形態にかかる可搬式電動工具としてのインパクトドライバ１は、図１および図２に示すように、駆動源である電動モータ２を含めた駆動機構部３を内包する細長形状の胴体部４と、該胴体部４の中間部からその交叉方向（略直角方向）に突出されるグリップ部５と、を備える。作業者はグリップ部５を握持してインパクトドライバ１を操作することになる。
【００３５】
インパクトドライバ１のハウジング６は、胴体部４の外郭（胴体部外郭）４Ｇと、グリップ部５の外郭（グリップ部外郭）５Ｇと、によって略Ｔ字状を成すように形成されている。
【００３６】
胴体部外郭４Ｇは筒状に形成されている。その胴体部外郭４Ｇに内包された駆動機構部３は、電動モータ２と、このモータ２の回転を減速する減速部７と、この減速部７の回転駆動力を先端側に設けたチャック８まで伝達する駆動部９と、この駆動部９を回転自在に保持する軸受部１０と、を備えて構成される。
【００３７】
また、グリップ部外郭５Ｇも筒状に形成されている。そのグリップ部外郭５Ｇの内部には電動モータ２への電力供給を制御するスイッチ部１１が設けられており、該スイッチ部１１はグリップ部５の胴体部４側の付け根部に取り付けられたトリガー１２によって作動される。
【００３８】
グリップ部外郭５Ｇの突出側先端部（図中下端部）には、該グリップ部外郭５Ｇの一般部分、つまり、長手方向（図中上下方向）の中間部分よりも拡大されて、電池パック１３を着脱自在に装着する電池パック取付部１４が形成されている。
【００３９】
また、グリップ部外郭５Ｇは作業者が握持し易いように、グリップ部外郭５Ｇが胴体部外郭４Ｇに拡大して至る基端側の付け根部１５、および、グリップ部外郭５Ｇが電池パック取付部１４に拡大して至る先端側の付け根部１６が形成される。
【００４０】
胴体部外郭４Ｇとグリップ部外郭５Ｇとを備えたハウジング６は、図１および図２中、紙面直角方向の中央部で２分割された略勝手違いの二つの分割体（半割体）６Ｌ，６Ｒを、対応する周方向端縁（端面）６ａ，６ｂ同士を突き合わせることで中空状に形成されている。
【００４１】
このとき、二つの分割体６Ｌ，６Ｒのうち一方の周方向端縁６ａの肉厚方向中央部分には、グリップ部外郭５Ｇの長手方向に沿って延びる凸部（本実施形態では凸条）１７が形成されるとともに、他方の周方向端縁６ｂの肉厚方向中央部には、グリップ部外郭５Ｇの長手方向に沿って延びる凹部（本実施形態では凹溝）１８が形成され、それら凸部１７と凹部１８とが相互に嵌合される。
【００４２】
このグリップ部外郭５Ｇについては、各分割体６Ｌ，６Ｒはそれぞれ略アーチ状の断面に形成され、それら分割体６Ｌ，６Ｒの周方向端縁６ａ，６ｂ同士を突き合わせて結合することにより、略楕円環状の断面を有するグリップ部外郭５Ｇが形成されるようになっている。
【００４３】
ここで、本実施形態では、図３に示すように、先端側の付け根部１６の内部に、グリップ部外郭５Ｇの内側から突設したリブ２０と当該グリップ部外郭５Ｇとで囲われた区画領域２１が形成されている。同図に示すように、区画領域２１には制御基板３０が配置されており、リブ２０の一部を切欠いてその切欠部２０ａに制御基板３０のリード線３１が挿通されている。
【００４４】
また、区画領域２１を形成した先端側の付け根部１６のグリップ部外郭５Ｇには薄肉部２２を形成するとともに、区画領域２１の周辺部のグリップ部外郭５Ｇには、当該薄肉部２２よりも肉厚の厚肉部２３が形成されている。
【００４５】
具体的には、図４に示すように、薄肉部２２は、グリップ部外郭５Ｇの内側面５Ｇｉｎを窪ませることにより形成されている。また、薄肉部２２は、分割体６Ｌ，６Ｒの周方向中間部に設けられ、該薄肉部２２の肉厚ｔ１は分割体６Ｌ，６Ｒの周方向端縁６ａ，６ｂの肉厚ｔ０よりも薄く形成されている。
【００４６】
薄肉部２２の肉厚ｔ１は、凸部１７の外側面１７ｏｕｔとグリップ部外郭５Ｇの内側面５Ｇｉｎとの間の肉厚ｔ２よりも薄く形成されている。
【００４７】
一方、厚肉部２３は、グリップ部外郭５Ｇの区画領域２１を形成した先端側の付け根部１６の内側をグリップ部外郭５Ｇの内方に膨出して形成されている。
【００４８】
このとき、薄肉部２２の周縁部、ならびに厚肉部２３の周縁部は、滑らかに肉厚変化されるようになっている。なお、本実施形態では、厚肉部２３は、グリップ部外郭５Ｇの一般部分の肉厚ｔ０と略等厚に形成されている。
【００４９】
また、グリップ部外郭５Ｇは、少なくとも厚肉部２３を形成した部分の外側を覆うようにして、そのグリップ部外郭５Ｇの外側面全体を弾性体２４によって被覆してある。
【００５０】
さらに、図３に示すように、区画領域２１を形成したリブ２０に、該区画領域２１の内外を連通させるスリット２５を形成し、該スリット２５はグリップ部外郭５Ｇの内側面５Ｇｉｎから所定距離Ｋを隔てた内側面５Ｇｉｎの近傍を終端２５Ｅとしてある。
【００５１】
以上の構成により本実施形態のインパクトドライバ１によれば、グリップ部外郭５Ｇの先端側の付け根部１６の内部に、グリップ部外郭５Ｇの内側から突設したリブ２０と当該グリップ部外郭５Ｇとで囲われる区画領域２１を形成したので、先端側の付け根部１６の剛性を高めることができる。
【００５２】
このとき、区画領域２１を形成した先端側の付け根部１６のグリップ部外郭５Ｇに薄肉部２２を形成したので、その薄肉部２２で落下時の衝撃を効率良く吸収できる。また、区画領域２１の周辺部のグリップ部外郭５Ｇに薄肉部２２よりも肉厚の厚肉部２３を形成したので、区画領域２１とその区画領域２１外の剛性の変化を緩やかにできる。
【００５３】
したがって、外部から衝撃エネルギーが印加された場合でも、区画領域２１を形成した付け根部１６での応力集中を抑えることができ、耐落下強度に優れたハウジング６を得ることができる。また、薄肉部２２を形成した分、ハウジング６を軽量化できるとともに、材料費を節約できるようになる。
【００５４】
また、薄肉部２２をグリップ部外郭５Ｇの分割体６Ｌ，６Ｒの周方向中間部に設けたことにより、二つの分割体６Ｌ，６Ｒの結合部分となる周方向端縁６ａ，６ｂで所定の肉厚ｔ０を確保できる。このため、分割体６Ｌ，６Ｒ同士の結合強度を損なうことなく薄肉部２２を形成することができる。
【００５５】
さらに、二つの分割体６Ｌ，６Ｒの各周方向端縁６ａ，６ｂの肉厚方向中央部分に凸部１７および凹部１８を形成し、それら凸部１７と凹部１８とを相互に嵌合するようにしたので、分割体６Ｌ，６Ｒの周方向端縁６ａ，６ｂは、凸部１７と凹部１８の嵌合によりずれを抑制しつつ結合できるようになる。
【００５６】
このとき、薄肉部２２の肉厚ｔ１を、凸部１７の外側面１７ｏｕｔとグリップ部外郭５Ｇの内側面５Ｇｉｎとの間の肉厚ｔ２よりも薄くしたので、凸部１７と凹部１８の嵌合部で所要の肉厚を確保して分割体６Ｌ，６Ｒ同士の結合強度を損なうことなく薄肉部２２を形成することができる。
【００５７】
さらにまた、厚肉部２３を、グリップ部外郭５Ｇの区画領域２１を形成した先端側の付け根部１６の内側に形成したことで、区画領域２１を形成するリブ２０の剛性を確保できる。また、厚肉部２３をグリップ部外郭５Ｇの内方に膨出して形成したことで、グリップ部外郭５Ｇ表面のデザインの自由度を向上することができる。
【００５８】
また、薄肉部２２の周縁部および厚肉部２３の周縁部を滑らかに肉厚変化させたので、それぞれの周縁部に生ずる応力集中を緩和して、耐落下強度に優れたハウジングを得ることができる。
【００５９】
さらに、グリップ部外郭５Ｇの少なくとも厚肉部２３を形成した部分の外側を弾性体２４で被覆したので、グリップ部外郭５Ｇを合成樹脂等で型成形した際に厚肉部２３に生ずるヒケ等の成形不良部分を弾性体２４で覆い隠すことができるため、グリップ部５の外観性が損なわれるのを抑制できる。
【００６０】
さらにまた、区画領域２１を形成するリブ２０に、該区画領域２１の内外を連通させるスリット２５を形成したので、リブ２０に入力される衝撃力をスリット２５で分離した対向部分が相対変位することにより効率良く吸収できる。このとき、スリット２５はグリップ部外郭５Ｇの内側面５Ｇｉｎから所定距離Ｋを隔てた内側面５Ｇｉｎ近傍を終端２５Ｅとしたので、その終端２５Ｅ部分に発生する応力を周囲に分散できるため、耐落下強度に優れたハウジング６を得ることができる。
【００６１】
ところで、本実施形態では、リブ２０による区画領域２１を、電池パック取付部１４に拡大して至る先端側の付け根部１６に設けた場合を示したが、胴体部外郭４Ｇに拡大して至る基端側の付け根部１５にあっても、同様にリブ２０による区画領域２１を設けることにより同様の機能を奏することができる。そして、もちろん、この場合にあっても、リブ２０にスリット２５を形成することが好ましく、そのスリット２５の終端２５Ｅをグリップ部外郭５Ｇの内側面５Ｇｉｎから所定距離Ｋを隔てた近傍とすることが好ましい。
【００６２】
（第２実施形態）図５は、本発明の第２実施形態にかかる可搬式電動工具のグリップ部の要部拡大断面図である。
【００６３】
本実施形態にかかるインパクトドライバ１では、図５に示すように、第１実施形態と同様に先端側の付け根部１６の内部に、グリップ部外郭５Ｇの内側から突設したリブ２０で画成する区画領域２１が形成されている。また、区画領域２１を形成した先端側の付け根部１６のグリップ部外郭５Ｇには薄肉部２２が形成されるとともに、区画領域２１近傍のグリップ部外郭５Ｇには厚肉部２３が形成されている。
【００６４】
ここで、本実施形態では、厚肉部２３は、グリップ部外郭５Ｇの区画領域２１を形成した先端側の付け根部１６の外側をグリップ部外郭５Ｇの外方に膨出して形成されている。
【００６５】
したがって、本実施形態のインパクトドライバ１によれば、厚肉部２３をグリップ部外郭５Ｇの区画領域２１を形成した先端側の付け根部１６の外側に形成したことで、区画領域２１を形成するリブ２０の剛性を確保できる。
【００６６】
また、厚肉部２３がグリップ部外郭５Ｇの外側を外方に膨出して形成されているので、厚肉部２３の周縁部には段差部２３ａが設けられる。もちろん、その段差部２３ａは滑らかに肉厚変化される。また、薄肉部２２の周縁部も滑らかに肉厚変化されている。
【００６７】
このため、グリップ部外郭５Ｇの表面を弾性体２４で被覆した際に、段差部２３ａによって弾性体２４との接触面積が増大して、グリップ部外郭５Ｇに対する弾性体２４のずれや剥離をより効果的に抑制することができる。
【００６８】
また、厚肉部２３をグリップ部外郭５Ｇの外側に形成したことで区画領域２１を拡充できるため、収納部品の収容スペースをより大きく確保することができる。
【００６９】
もちろん、本実施形態にあっても、リブ２０による区画領域２１を基端側の付け根部１５に設けて、その部分に厚肉部２３を形成した場合にあっても、構成を採用することにより同様の機能を奏することができる。
【００７０】
（第３実施形態）図６、図７は本発明の第３実施形態を示している。このうち、図６は、二つの分割体を分離した状態でのグリップ部外郭の分離境界部分における側面図、図７は、二つの分割体を分離した状態でのグリップ部外郭の分離境界部分における拡大斜視図である。
【００７１】
本実施形態のインパクトドライバ１は、図６に示すように、第１実施形態と同様に二つの分割体６Ｌ，６Ｒの相互に突き合う端縁の肉厚方向中央部に凸部１７および凹部１８が形成され、それら凸部１７と凹部１８とが相互に嵌合されるようになっている。
【００７２】
ここで、本実施形態では、それら凸部１７および凹部１８が、グリップ部外郭５Ｇの長手方向に互い違いとなる矩形状の凹凸とされる。
【００７３】
すなわち、二つの分割体６Ｌ，６Ｒの端面６ａ，６ｂに形成した凸部１７および凹部１８が、グリップ部外郭５Ｇの長手方向に沿って適宜長さをもって交互に形成されている。
【００７４】
具体的には、一方の分割体６Ｌの端面６ａに所定長さＬ１の凸部１７ａが一定間隔Ｓ１をもって複数形成されるとともに、それら凸部１７ａ間に凹部１８ａが形成されている。また、他方の端面６ｂの凹部１８ａに対応する部位に間隔Ｓ１の長さに略相当する長さＬ２の凸部１７ｂが複数形成され、それら凸部１７ｂ間に長さＬ１に略相当する間隔Ｓ２をもって凹部１８ｂが形成されている。凸部１７（１７ａ，１７ｂ）は端面６ａの肉厚方向中央部に形成されるとともに、凹部１８（１８ａ，１８ｂ）は端面６ｂの肉厚方向中央部に形成される。
【００７５】
また、矩形状の凹凸（凹部１８ａ，１８ｂおよび凸部１７ａ，１７ｂ）の他方の凹凸との当接面に弾性体２６が設けられている。
【００７６】
弾性体２６は薄いシート状に形成され、そのシート状の弾性体２６が、凸部１７の長手方向の両外側面から凹部１８の長手方向の両内側面に亘って連続して貼着されている。その弾性体２６は、グリップ部外郭５Ｇの表面を被覆した弾性体２４（図４参照）と一体化されている。
【００７７】
したがって、本実施形態のインパクトドライバ１によれば、二つの分割体６Ｌ，６Ｒの相互に突き合う端縁６ａ，６ｂは、グリップ部外郭５Ｇの長手方向に互い違いとなる矩形状の凹凸（凹部１８ａ，１８ｂおよび凸部１７ａ，１７ｂ）によって、二つの分割体６Ｌ，６Ｒがグリップ部外郭５Ｇの長手方向にずれるのを抑制できる。このため、落下等によって二つの分割体６Ｌ，６Ｒがずれてグリップ部外郭５Ｇが破損に至るのを抑制できる。
【００７８】
また、矩形状の凹凸（凹部１８ａ，１８ｂおよび凸部１７ａ，１７ｂ）の他方の凹凸との当接面に弾性体２６を設けたので、二つの分割体６Ｌ，６Ｒの周方向端縁６ａ，６ｂ同士が離間するのを抑制することができる。また、一方の凹凸（凹部１８ａ，１８ｂおよび凸部１７ａ，１７ｂ）と他方の凹凸との合わせ面からグリップ部外郭５Ｇの内部に水や粉塵等の異物が侵入するのを抑制できる。
【００７９】
なお、本実施形態では、弾性体２６は、凸部１７ａ，１７ｂおよび凹部１８ａ，１８ｂとともにその長手方向両側面に設けられて、弾性体２６同士が摺動して嵌合される構造となっているが、これに限ることなく、その弾性体２６は相互に隣接する側面のうち少なくともいずれか一方に在ればよい。また、同様の弾性体を凸部１７ａ，１７ｂの先端面や凹部１８ａ，１８ｂの底面に設けることもできる。
【００８０】
以上、本発明の好適な実施形態について説明したが、本発明は上記実施形態に限定されるものではなく、種々の変形が可能である。例えば、本発明は、インパクトドライバ以外のドリルドライバやオイルパスドライバ等としても実施可能である。
【図面の簡単な説明】
【００８１】
【図１】本発明の第１実施形態にかかる可搬式電動工具の側面図である。
【図２】本発明の第１実施形態にかかるハウジングの内部を示す可搬式電動工具の要部側断面図である。
【図３】本発明の第１実施形態にかかる可搬式電動工具のグリップ部外郭の先端側の付け根部の内部を示す拡大斜視図である。
【図４】図１のＡ−Ａ断面図である。
【図５】本発明の第２実施形態にかかる可搬式電動工具のグリップ部の要部拡大断面図である。
【図６】本発明の第３実施形態にかかる可搬式電動工具の二つの分割体を分離した状態でのグリップ部外郭の分離境界部分における側面図である。
【図７】本発明の第３実施形態にかかる可搬式電動工具の二つの分割体を分離した状態でのグリップ部外郭の分離境界部分における拡大斜視図である。
【符号の説明】
【００８２】
１  インパクトドライバ（可搬式電動工具）
２  電動モータ
３  駆動機構部
４  胴体部
４Ｇ  胴体部外郭
５  グリップ部
５Ｇ  グリップ部外郭
５Ｇｉｎ  グリップ部外郭の内側面
６  ハウジング
６Ｌ，６Ｒ  分割体
６ａ，６ｂ  周方向端縁
１３  電池パック
１４  電池パック取付部
１５  基端側の付け根部
１６  先端側の付け根部
１７，１７ａ，１７ｂ  凸部
１７ｏｕｔ  凸部の外側面
１８，１８ａ，１８ｂ  凹部
２０  リブ
２１  区画領域
２２  薄肉部
２３  厚肉部
２４  弾性体
２５  スリット
２５  スリットの終端
２６  弾性体
【図１】
0004894665.tif 000002
【図２】
0004894665.tif 000003
【図３】
0004894665.tif 000004
【図４】
0004894665.tif 000005
【図５】
0004894665.tif 000006
【図６】
0004894665.tif 000007
【図７】
0004894665.tif 000008